(57)【要約】      （修正有）【課題】ブルートゥース（登録商標）イヤホン機能を有するメガネ脚を取り替え可能なメガネを提供する。【解決手段】メガネフレームと２つのメガネ脚とを含み、各メガネ脚は、第１のメガネ脚部材２１と、第２のメガネ脚部材２２とを含み、第１のメガネ脚部材と第２のメガネ脚部材との間に結合構造が設けられることで、第２のメガネ脚部材は、第１のメガネ脚部材に着脱可能に取り付けられている。第２のメガネ脚部材は、色や造形に変化を施すことができ、ブルートゥースイヤホン２３を含むことができる。ユーザは、実際の要求に応じてメガネ脚の造形及び機能を取り替えることができ、ブルートゥースイヤホンとメガネとが同時に使用される不具合を改善できる。【選択図】図２
0003202327.tif 000002
【実用新案登録請求の範囲】
【請求項１】
メガネフレームと、
第１のメガネ脚部材と第２のメガネ脚部材とをそれぞれ含む２つのメガネ脚と、を備え、
各メガネ脚の第１のメガネ脚部材の先端と該メガネフレームの一方の側との間に枢接関節が設けられ、該第１のメガネ脚部材の後端と該第２のメガネ脚部材の先端との間に結合構造が設けられることで、該第２のメガネ脚部材は、該第１のメガネ脚部材に着脱可能に取り付けられ、該第２のメガネ脚部材は、ブルートゥース（登録商標）イヤホンを含み、該第２のメガネ脚部材は、色や造形に変化を施すことができることを特徴とするメガネ脚を取り替え可能なブルートゥース（登録商標）メガネ。
【請求項２】
該結合構造は、凹溝と、該凹溝に嵌合された凸ロッドとからなることを特徴とする請求項１に記載のメガネ脚を取り替え可能なブルートゥース（登録商標）メガネ。
【考案の詳細な説明】
【技術分野】
【０００１】
本考案は、ブルートゥース（登録商標）メガネのメガネ脚構造に関し、特にユーザが必要に応じてブルートゥース（登録商標）機能を有するメガネ脚を自由に選択することができる、メガネ脚を簡単に取り替え可能なブルートゥース（登録商標）メガネに関するものである。
【背景技術】
【０００２】
従来のメガネは、主にメガネフレームと、メガネフレームの両側に設けられた２つのメガネ脚とを含む。メガネ脚が耳上縁に係止され、メガネフレームが鼻に安定に掛けられることで、ユーザの視線は、正しい角度でメガネを介して物事を観察することができる。従来のメガネフレーム及びメガネ脚は、通常、ねじにより結合されるため、メガネ脚は、メガネフレームから抜けることなく、メガネフレームに対して折り畳みまたは拡開することができる。
【０００３】
ブルートゥース（登録商標）技術の成熟に伴い、現在、ブルートゥース（登録商標）イヤホンの体積が大幅に小さくなっているため、ブルートゥース（登録商標）イヤホンは、フックに合わせて耳に係止されて使用可能である。しかしながら、ユーザの耳にはブルートゥース（登録商標）イヤホンとメガネとが同時に装着されると、メガネ脚は、必然的にフックの干渉を受けて安定性に影響を及ぼしてしまう。さらに、ほとんどのメガネ構造にはメガネ部材を取り替え可能な設計概念が欠けているため、メガネの態様も変化に欠けている。また、メガネの一部の部材（例えばメガネ脚）が損壊したときも維持・取り替えることができないため、メガネ全体を取り替える必要があり、コストがかかり、浪費的である。メガネの構造をブルートゥース（登録商標）イヤホンの機能と結合できれば、ブルートゥース（登録商標）イヤホンとメガネとが同時に装着される課題を解決することができる。しかしながら、ブルートゥース（登録商標）イヤホンの機能を有するメガネについて、使用の際に、ユーザはイヤホン機能を使用したくない場合に、ブルートゥース（登録商標）イヤホンを簡単に取り除いて一般のメガネに取り替えて使用することができない。
【考案の概要】
【考案が解決しようとする課題】
【０００４】
そこで、本考案は、ユーザが必要に応じてブルートゥース（登録商標）イヤホン機能を有するメガネ脚を自由に取り替えることができる、メガネ脚を取り替え可能なブルートゥース（登録商標）メガネを提供することを目的とする。
【課題を解決するための手段】
【０００５】
本考案に係るブルートゥース（登録商標）メガネは、メガネフレームと２つのメガネ脚とを含む。各メガネ脚は、第１のメガネ脚部材と、第２のメガネ脚部材とを含み、各メガネ脚の第１のメガネ脚部材の先端と該メガネフレームの一方の側との間に枢接関節が設けられ、該第１のメガネ脚部材の後端と該第２のメガネ脚部材の先端との間に結合構造が設けられることで、該第２のメガネ脚部材は、第１のメガネ脚部材に対して分離または結合可能である。該第２のメガネ脚部材は、色や造形に変化を施すことができ、ブルートゥース（登録商標）イヤホンを含むことができる。ユーザは、実際の要求に応じて該第２のメガネ脚部材を取り替えることができる。
【０００６】
一つの実施例において、該結合構造は、凹溝と、該凹溝に嵌合された凸ロッドとからなる。
【考案の効果】
【０００７】
本考案に係るブルートゥース（登録商標）メガネによれば、異なる造形及び機能を有するメガネ脚を簡単かつ素早く変換可能であり、従来のようなメガネがブルートゥース（登録商標）イヤホンと組み合わせて同時に使用される不具合を改善することができる。
【図面の簡単な説明】
【０００８】
【図１】本考案に係る好ましい実施例のブルートゥース（登録商標）メガネの模式図である。
【図２】図１における第２のメガネ脚部材を取り替え可能な様子を模式的に示す。
【図３】図１における第２のメガネ脚部材の立体拡大図である。
【図４】本考案に係るブルートゥース（登録商標）メガネの使用状態模式図である。
【考案を実施するための形態】
【０００９】
図１は、本考案に係る好ましい実施例のブルートゥース（登録商標）メガネ構造を示す。該ブルートゥース（登録商標）メガネは、メガネフレーム１０と、２つのメガネ脚２０とを含む。各メガネ脚２０は、第１のメガネ脚部材２１と、第２のメガネ脚部材２２とを含み、各メガネ脚２０の第１のメガネ脚部材２１の先端と該メガネフレーム１０の一方の側との間に枢接関節３０が設けられることで、各メガネ脚２０は、メガネフレーム１０に対して内方へ折り畳みまたは外方へ拡開することができる。さらに、第１のメガネ脚部材２１の後端と第２のメガネ脚部材２２の先端との間に結合構造が設けられることで、第２のメガネ脚部材２２は、第１のメガネ脚部材２１に着脱可能に取り付けられている。図２に示すように、この実施例において、第１のメガネ脚部材２１の後端に凹溝２１１が設けられ、第２のメガネ脚部材２２の先端に、凹溝２１１内に嵌合可能な凸ロッド２２１が設けられている。凹溝２１１と凸ロッド２２１とで該結合構造が構成されることで、第２のメガネ脚部材２２は、第１のメガネ脚部材２１の後端に対して分離または結合可能である。ここで注意すべき点は、当該結合構造は、凹溝２１１と凸ロッド２２１との組み合わせに限定されるものではなく、その他の分離または結合可能な構造であってもよい。
【００１０】
図３に示すように、第２のメガネ脚部材２２は、本体２２０と、ブルートゥース（登録商標）イヤホン２３とを含む。ブルートゥース（登録商標）イヤホン２３は、本体２２０の中間から下方へ一体に延在している。ユーザが本考案に係るブルートゥース（登録商標）メガネを装着しているとき、ブルートゥース（登録商標）イヤホン２３の位置は、図４に示すように、ユーザの耳孔に対応している。本考案に係るブルートゥース（登録商標）メガネは、実施の際に、ブルートゥース（登録商標）イヤホン２３が第２のメガネ脚部材２２の本体２２０と一体に結合されているため、従来のようなメガネがブルートゥース（登録商標）イヤホンと組み合わせて同時に使用される不具合を改善することができる。
【００１１】
図２に示すように、本考案に係るブルートゥース（登録商標）メガネは、実施の際に、ユーザが第２のメガネ脚部材２２を一般のメガネ脚態様を有する第２のメガネ脚部材２２ａに容易に取り替えることができる。この第２のメガネ脚部材２２ａは、同一造形の本体２２０と凸ロッド２２１とを含むが、ブルートゥース（登録商標）イヤホン２３を含んでいない。ユーザは、ブルートゥース（登録商標）イヤホンの用途要求を使用したくない場合に、第２のメガネ脚部材２２を簡単に取り外して第２のメガネ脚部材２２ａに取り替えることができる。これにより、メガネ脚の造形及び機能を素早く取り替える目的を達成することができる。また、本考案に係る第２のメガネ脚部材２２、２２ａは、ユーザが容易に取り替えて使用できるように、多様化の色や造形を構成することができる。これにより、ユーザは、必要に応じてメガネ脚を自由に取り替えることができ、メガネ製品は、よりコンパクトかつ多機能化に優れている。
【００１２】
上記のように、これらの実施の形態は本考案の好ましい実施例のみであり、本考案を限定するものではなく、本考案の請求範囲は、特許請求の範囲に記載されたものに準ずる。
【００１３】
以上のように、本考案では、メガネフレームと、第１のメガネ脚部材と第２のメガネ脚部材とをそれぞれ含む２つのメガネ脚と、を備え、各メガネ脚の第１のメガネ脚部材の先端と該メガネフレームの一方の側との間に枢接関節が設けられ、該第１のメガネ脚部材の後端と該第２のメガネ脚部材の先端との間に結合構造が設けられることで、該第２のメガネ脚部材は、該第１のメガネ脚部材に着脱可能に取り付けられ、該第２のメガネ脚部材は、ブルートゥース（登録商標）イヤホンを含み、該第２のメガネ脚部材は、色や造形に変化を施すことができることを特徴とするメガネ脚を取り替え可能なブルートゥース（登録商標）メガネとするものである。
【００１４】
また、該結合構造は、凹溝と、該凹溝に嵌合された凸ロッドとからなるものとする。
【産業上の利用可能性】
【００１５】
本考案に係るブルートゥース（登録商標）メガネによれば、異なる造形及び機能を有するメガネ脚を簡単かつ素早く変換可能であり、従来のようなメガネがブルートゥース（登録商標）イヤホンと組み合わせて同時に使用される不具合を改善することができる。
【符号の説明】
【００１６】
１０  メガネフレーム
２０  メガネ脚
２１  第１のメガネ脚部材
２１１  凹溝
２２、２２ａ  第２のメガネ脚部材
２２０  本体
２２１  凸ロッド
２３  ブルートゥース（登録商標）イヤホン
３０  枢接関節
【図１】
0003202327.tif 000003
【図２】
0003202327.tif 000004
【図３】
0003202327.tif 000005
【図４】
0003202327.tif 000006